(57)【要約】【課題】競技の測定準備作業を迅速効率的にするとともに、競技中競技に影響を与えないようにするコネクタボックス装置を供すること【解決手段】計測装置等に接続されるコネクタボックス１は上蓋５に起伏自在に取り付けられる。上蓋は下蓋７に嵌合されるとともに下蓋との間にコネクタボックスを収納可能とする。上蓋は下蓋に嵌合された状態でグラウンドに設けられるホール内に埋設され、上蓋を閉としたとき上蓋の表面に設けた上面材１９とグラウンドの面が面一になる。上蓋には窓部１３が設けられ、該窓部を被覆する窓蓋を設けるとともに、内側に向かって開閉自在となる小蓋１７を設ける。よって取付面が面一になるため、競技者への威圧感がないので競技に影響を与えることがない。また準備作業は作業員に不自然な姿勢を強いることなく簡単な動作により完了するから迅速円滑に行うことができる。【選択図】図２
2010213955.tif 000002
【特許請求の範囲】
【請求項１】
計測装置等に接続されるコネクタボックスであって、該コネクタボックスは上蓋に起伏自在に取り付けられ、上記上蓋は下蓋に嵌合されるとともに該下蓋との間に上記コネクタボックスを収納可能とし、上記上蓋が上記下蓋に嵌合された状態でグラウンドに設けられるホール内に埋設され、上記上蓋を閉としたとき上記上蓋の表面に設けた上面材とグラウンドの面が面一になることを特徴とするコネクタボックス装置。
【請求項２】
請求項１記載のコネクタボックス装置において、上記コネクタボックスは接続時に上記上蓋より突出して起立状態となり、収納時には上記上蓋より下方の埋伏状態となることを特徴とするコネクタボックス装置。
【請求項３】
請求項１又は請求項２記載のコネクタボックス装置において、上記上蓋の一部に窓部を設けるとともに、該窓部を被覆する窓蓋を設け、さらに該窓蓋に内側に向かって開閉自在となる小蓋を設けることを特徴とするコネクタボックス装置。
【請求項４】
請求項１乃至請求項３いずれか一記載のコネクタボックス装置において、上記下蓋の底面が開放であることを特徴とするコネクタボックス装置。
【請求項５】
請求項１乃至請求項３いずれか一記載のコネクタボックス装置において、上記下蓋の底面が閉塞であることを特徴とするコネクタボックス装置。
【請求項６】
請求項１乃至請求項５いずれか一記載のコネクタボックス装置において、上記コネクタボックスに蛇腹状のカバーを設け、本線から分岐したコードの根元を上記カバーにより被覆することを特徴とするコネクタボックス装置。
【発明の詳細な説明】
【技術分野】
【０００１】
本願発明は、運動競技の結果を計測する計測装置のタイミングシステムなどに用いられるコネクタボックスに関し、とくにコネクタボックスを上蓋と下蓋とで被覆するとともに、簡単な動作により上蓋から突出するようにしたコネクタボックス装置に関する。
【背景技術】
【０００２】
最近の陸上競技は１００分の１秒台の記録を争う運動競技となっており、電子機器計器による測定は公認記録にとり必須となっている。
【０００３】
図７又は図８に太線で示すように、陸上競技場１００の地下には、予め、計時計測設備、インカム設備、コンピュータ設備、電光表示設備、電源設備等の各種電気通信設備のためのケーブル線からなる配線（以下、「本線１０１」という）が埋設・施工されている。そして、適所に「大枡」と言われる作業員が出入できる位の大形のホールが設けられ、このホール内にコネクタボックスが設けられ、該コネクタボックスと本線１０１がコードにより接続されている。また上記大枡付近に「ハンドホール」と言われる小形のホールが設けられることがあり、この場合はこのハンドホール内にコネクタボックスが設けられ、上記大枡を経て分岐されたコードがハンドホール内に設置されたコネクタボックスと接続される。
【０００４】
いずれにしても従来はホール内の壁部にコネクタボックスが設置されていたため、電子機器計器とコネクタボックスを接続する準備作業は困難を強いられていた。具体的には、オペレータはしゃがみ込み上体を大きく屈曲させ手をホール内に入れ込んでコネクタボックスでの所要の操作をしていた。
【０００５】
陸上競技では競技の進行を迅速に行なうため、測定準備作業は迅速にされなければならない。しかしながら、かかる姿勢は苦痛であるだけでなく、手の向こう側からコネクタボックスの接続盤を見ることになるため、操作に時間がかかるという欠点がある。
【０００６】
またホール内には湿気が多いため、湿気を嫌うコネクタボックスのメンテナンス負担が大であった。
【０００７】
さらに、従来はコネクタボックスにコードを接続する際、ホールを被覆するカバープレートをずらし、該カバープレートとホールとの間に形成された隙間から電子機器計器に接続されているコードをホール内に潜入させていた。カバープレートは通常６ｃｍ〜７ｃｍ程度の高さを有しており、これがずらし設置によりグラウンド上に現れてしまうと、そのカバープレートの存在が競技者に大なる影響を与えていた。
【０００８】
即ち、陸上競技は激烈な競争にあるため、選手は過度に敏感となっており、競技場内に異物があるのを嫌う傾向がある。このため競技場内に異物が突出しないことが求められるが、従来のコネクタボックス装置では、このような要請に十分に応えられていなかった。
【０００９】
かかる種々の要請に応えるべく出願人は次の発明をした。
【先行技術文献】
【特許文献】
【００１０】
【特許文献１】特開平１０−１２７９５５号公報
【発明の概要】
【発明が解決しようとする課題】
【００１１】
本願発明は上記背景よりなされたもので、上記先行技術文献とは別の解を提供するものであり、競技の測定準備作業を迅速効率的にするとともに、競技中競技に影響を与えないようにするコネクタボックス装置を供することを目的とする。
【００１２】
また他の目的はメンテナンスが殆ど不要なコネクタボックス装置を供することを目的とする。
【課題を解決するための手段】
【００１３】
上記目的達成のため、本願発明によるコネクタボックス装置は、計測装置等に接続されるコネクタボックスであって、該コネクタボックスは上蓋に起伏自在に取り付けられ、上記上蓋は下蓋に嵌合されるとともに該下蓋との間に上記コネクタボックスを収納可能とし、上記上蓋が上記下蓋に嵌合された状態でグラウンドに設けられるホール内に埋設され、上記上蓋を閉としたとき上記上蓋の表面に設けた上面材とグラウンドの面が面一になることを特徴とする。
また、請求項１記載のコネクタボックス装置において、上記コネクタボックスは接続時に上記上蓋より突出して起立状態となり、収納時には上記上蓋より下方の埋伏状態となることを特徴とする。
また、請求項１又は請求項２記載のコネクタボックス装置において、上記上蓋の一部に窓部を設けるとともに、該窓部を被覆する窓蓋を設け、さらに該窓蓋に内側に向かって開閉自在となる小蓋を設けることを特徴とする。
また、請求項１乃至請求項３いずれか一記載のコネクタボックス装置において、上記下蓋の底面が開放であることを特徴とする。
また、請求項１乃至請求項３いずれか一記載のコネクタボックス装置において、上記下蓋の底面が閉塞であることを特徴とする。
また、請求項１乃至請求項５いずれか一記載のコネクタボックス装置において、上記コネクタボックスに蛇腹状のカバーを設け、本線から分岐したコードの根元を上記カバーにより被覆することを特徴とする。
【発明の効果】
【００１４】
準備作業は上蓋の窓蓋を取り去り、窓部を「開」としてコネクタボックスを起立状態とし、この状態で電子機器計器に接続されたコードをコネクタボックスの所定の接続部に接続する。次いで、コネクタボックスを倒し埋伏状態とし、窓部に窓蓋を取り付けた後、小蓋を下方に屈曲してコード口を「開」とし、このコード口から電子機器計器に接続されたコードを外部に出す。かくしてセッティングは完了するから、準備作業を簡単な動作により迅速円滑に行うことができる。
【００１５】
コネクタボックスの取り付け面に関し、競技中上蓋は閉となっており、かつ上蓋の表面に設けた上面材とグラウンドの面とは面一になっているため、競技場内に異物が突出したり、足を踏み外すおそれのある凹部がない。よってコネクタボックスの取り付け面はコネクタボックスの突出による競技者への威圧感がないので競技に影響を与えることがない。また、競技の準備作業から競技の終了まで役員その他の関係者が転倒その他の不測の事態を招来するおそれがないから、この面からも競技運営の円滑性に資する。
【００１６】
また、コネクタボックスは使用しない収納時も稼動時においても上蓋と下蓋とにより被覆された状態となっているから、湿気からコネクタボックスを保護するという効果がある。よってコネクタボックスのメンテナンスの負担が軽減される。
【図面の簡単な説明】
【００１７】
【図１】本願発明によるコネクタボックス装置の実施の形態を示し、（Ａ）は起立状態を示す一部断面正面図、（Ｂ）は同右側面図である。
【図２】図１のコネクタボックス装置の埋伏状態を示す一部断面右側面図である。
【図３】（Ａ）は図１の上面材を省略した上蓋本体を示す表面図、（Ｂ）は（Ａ）のＢ−Ｂ断面図、（Ｃ）は（Ａ）の正面図である。
【図４】（Ａ）は図１の上面材を省略した窓蓋の表面図、（Ｂ）は（Ａ）の正面図、（Ｃ）は（Ａ）の裏面図、（Ｄ）は（Ｃ）のＤ−Ｄ断面可動図である。
【図５】（Ａ）は図１の下蓋を示す表面図、（Ｂ）は（Ａ）の正面図である。
【図６】図１のコネクタボックス装置において、窓蓋をとった状態の平面図である。
【図７】陸上競技場の本線の施工位置を示す概略図である。
【図８】陸上競技場の本線の施工位置を示す他の概略図である。
【発明を実施するための形態】
【００１８】
次に、実施の形態を示す図面に基づき本願発明によるコネクタボックス装置をさらに詳しく説明する。なお、便宜上同一の機能を奏する部分には同一の符号を付してその説明を省略する。
【００１９】
コネクタボックス１は箱形に形成され、内部に接続機構を設けてある（図示省略）。そして正面の接続盤１ａ上に、例えば図示しないピストル装置と接続される「ピストルＡ」、「ピストルＢ」、図示しないゴールタイマー装置と接続される「ゴールタイマーＣ」の各接続部が設けられる。上記コネクタボックス１は蝶番３により上蓋５に起伏自在に取り付けられる。該上蓋５は下蓋７に嵌合されるとともに、該下蓋７との間に上記コネクタボックス１を収納可能とする。９は陸上競技場１００のグラウンドに設けられる４５０ｍｍ×４５０ｍｍ×４５０ｍｍ大のハンドホールである。上記コネクタボックス１を収納した上蓋５は、下蓋７に嵌合された状態でこのハンドホール９の上部に設置される。１ｂは起伏時に用いるハンドルである。２は上記コネクタボックス１の底部に設けられ蛇腹状のカバーであり、陸上競技場１００の地下に埋設されている本線１０１から分岐され、上記ハンドホール９内に現れるコード１１の根元を被覆する。
【００２０】
上記上蓋５は上蓋本体５ａと窓蓋１５とからなり、平面視正方形（本例では５３０ｍｍ×５３０ｍｍ）、高さ６４ｍｍの箱形に形成され、一辺部に窓部１３を設ける。該窓部１３の大きさは上記コネクタボックス１が出入りできる程度の大きさに形成され、本例では内寸３１０ｍｍ×２１８ｍｍに形成される。
【００２１】
上蓋本体５ａには上記窓部１３を被覆する取外し自在の窓蓋１５（図４に示す）を設け、該窓蓋１５に蝶番１６により内側に向かって開閉自在となる小蓋１７を設ける。１５ａは着脱の際用いる指孔である。上記小蓋１７は３９ｍｍ×７０ｍｍ大に形成され、屈曲可動時においてコード口１８を形成する。１９は上記上蓋５の表面、具体的には上蓋本体５ａ及び窓蓋１５の表面に張設されたウレタンゴムからなる上面材である。上記上蓋５とグラウンド面２１とは、上蓋５を閉としたとき上蓋５の表面に設けた上面材１９とグラウンドの面２１が面一になる。
【００２２】
上記下蓋７は平面視正方形（本例では５３４ｍｍ×５３４ｍｍ）、高さ６７ｍｍの箱形に形成されるとともに、４辺にフレーム７ａが形成され、底面７ｂが開放されている。７ｃは対向辺部に設けられたアンカーであり、ハンドホール９を構成するコンクリート中に埋め込まれる。
【００２３】
図７又は図８に太線で示すように、陸上競技場の地下には予め計時計測設備、インカム設備、コンピュータ設備、電光表示設備、電源設備等の各種電気通信設備のためのケーブル線からなる本線１０１が埋設・施工されている。そして適所にハンドホール９が設けられ、該ハンドホール９内に本線１０１と接続された上記コネクタボックス１が埋設される。２３は例えば写真判定タイミング装置に接続されたコードであり、該コード２３が上記コネクタボックス１に接続されることにより競技の準備作業完了となる。
【００２４】
次にこの準備作業の手順につき説明する。まず上蓋５の窓蓋１５を取り去り、窓部１３を「開」とする（図６）。次いで、コネクタボックス１のハンドル１ｂを持ってコネクタボックス１を起立状態とする（図１（Ｂ））。次いで、例えば写真判定タイミング装置に接続されたコード２３をコネクタボックス１の所定の接続部に接続する。次いで、コネクタボックス１を倒し、図２に示す埋伏状態とする。
【００２５】
次いで、窓部１３に窓蓋１５を取り付ける。この際小蓋１７を下方に屈曲してコード口１８を「開」とし、このコード口１８から写真判定タイミング装置に接続されたコード２３を外部に出す。かくしてセッティングは完了する。このとき上蓋５の表面に設けた上面材１９とグラウンドの面２１とは面一になっている。
【００２６】
上記実施の形態によれば、作業員に不自然な姿勢を強いることなく、簡単な動作によりセッティングが完了するから、競技の準備作業を迅速円滑に行うことができる。
【００２７】
またコネクタボックス１は稼動時において、上記したような埋伏状態となっている。よってコネクタボックス１の取り付け面は上面材１９とグラウンドの面２１が面一となるから、コネクタボックス１の突出による競技者への威圧感がないので競技に影響を与えることがない。
【００２８】
また競技場内に異物が突出していないことと、コード口１８が足を踏み外すおそれのある開口ではないので、関係者が測定の準備作業をする際に転倒その他の不測の事態を招来することがないので、準備作業を迅速効率的に行うことができ、競技の進行に資する。
【００２９】
さらにコネクタボックス１は、使用しない収納時も稼動時においても上蓋５と下蓋とにより雨水の浸入し易い枠縁部が被覆された状態となっているから、湿気からコネクタボックス１を保護するという効果がある。よってコネクタボックスのメンテナンスの負担が概ね８割方軽減される効果がある。
【００３０】
コネクタボックス１のメンテナンスや修理をする必要が生じた場合は、コネクタボックス１からコード１１を外し、コネクタボックス１を取り付けた状態で上蓋本体５ａごと全体の装置から取り外し工場に送って作業できるため、作業効率が向上する。
【００３１】
コネクタボックス１の可動に伴ないコネクタボックス１に接続されたコード１１にも負荷がかかるが、このコード１１は負荷がかかる根元が蛇腹状のカバー２により被覆されているから、可動に伴いケーブル線にかかる負荷が軽減される。
【００３２】
さらに本実施の形態においては、測定稼動時に小蓋１７が小さく「開」となる外は、コネクタボックス１が上蓋５にて略被覆されるとともに、ハンドホール９内において雨水の浸入し易い枠縁部が下蓋７と上記上蓋５にてコネクタボックス１を閉状態とする。よって、競技中に雨天となったときでも雨水の浸入を略防止することができる。またそれだけではなく、下蓋７の底面７ｂが開放されているため、小蓋１７等の隙間から若干の雨水が滲入したとしても、かかる水分を下蓋７内には溜めずハンドホール９へと流出せしめる。よって湿気がコネクタボックス１に及ぼす影響を大幅に減少させることができる。なお、この場合ハンドホール９内へ流出した水の除去は晴天時に上蓋５を外してハンドホール９内を乾燥させればよい。
【００３３】
本願発明によるコネクタボックス装置は上記した実施の形態に限定されない。例えば、上記コネクタボックス１が適用されるホールはハンドホールに限定されず、「大枡」と言われる大形のホールに適用することもできる。かかる場合はハンドホールを設ける必要がないので陸上競技場の設備費用のさらなるコスト低減に資する。
【００３４】
また上記した実施の形態の場合は既設のハンドホールに設置することを想定したため、下蓋７の底面７ｂを開放して形成したが、下蓋７の底面７ｂは閉塞して形成してもよい。この場合、ホールの高さは図示例のように深く突設する必要がなく、コネクタボックス１を収納する下蓋７及び上蓋５の高さ程度の浅い孔とすることができる。またこの場合は下蓋７及び上蓋５からなる容器の密閉性が一層大となるので、対湿気防止効果が一層大となり、かつ施工手間、施行効率が一層向上するので望ましい。
【００３５】
上面材１９はグラウンドの面材と同質の適宜材を用いることができ、例えば人工芝であってもよい。
【００３６】
ホールの大きさも上記実施の形態に限定されず、例えば６００ｍｍ×６００ｍｍ×６００ｍｍのハンドホールにも適用できるのは当然であり、さらには「大枡」と言われる作業員が出入できる位の大形のホールにも適用できることについては上述の通りである。
【００３７】
コネクタボックス１に接続される電気・電子計器は任意である。上記に述べた他に、例えば、風速速報計、風速計、カメラ等がある。
【産業上の利用可能性】
【００３８】
本願発明によるコネクタボックス装置は陸上競技場の電気通信設備工事に利用される。
【符号の説明】
【００３９】
１      コネクタボックス
１ａ    接続盤
１ｂ    ハンドル
２      カバー
３      蝶番
５      上蓋
５ａ    上蓋本体
７      下蓋
７ａ    フレーム
７ｂ    底面
７ｃ    アンカー
９      ハンドホール
１１    コード
１３    窓部
１５    窓蓋
１５ａ  指孔
１６    蝶番
１７    小蓋
１８    コード口
１９    上面材
２１    グラウンド面
２３    コード
【図１】
2010213955.tif 000003
【図２】
2010213955.tif 000004
【図３】
2010213955.tif 000005
【図４】
2010213955.tif 000006
【図５】
2010213955.tif 000007
【図６】
2010213955.tif 000008
【図７】
2010213955.tif 000009
【図８】
2010213955.tif 000010